(57)【要約】【課題】夜間においても除雪作業を行い易い手動の除雪具を提供すること。【解決手段】雪載せ部１の後端部から柄杆２を突設した除雪具において、前記柄杆２に、懐中電灯などの携帯用照明具３を着脱自在に取付する照明取付部４を設けると共に、この照明取付部４は、取付した携帯用照明具３を前記柄杆２に対して角度調整し得る角度調整機構５を備えた除雪具。【選択図】図１
2008163688.tif 000002
【特許請求の範囲】
【請求項１】
雪載せ部の後端部から柄杆を突設した除雪具において、前記柄杆に、懐中電灯などの携帯用照明具を着脱自在に取付する照明取付部を設けると共に、この照明取付部は、取付した携帯用照明具を前記柄杆に対して角度調整し得る角度調整機構を備えたことを特徴とする除雪具。
【請求項２】
前記照明取付部は、前記柄杆に対して着脱自在に付設したことを特徴とする請求項１記載の除雪具。
【請求項３】
前記照明取付部は、前記柄杆に対して被嵌状態に付設したことを特徴とする請求項１，２のいずれか１項に記載の除雪具。
【請求項４】
前記照明取付部は、前記携帯用照明具を締付体により締め付けして取付する構成としたことを特徴とする請求項１〜３のいずれか１項に記載の除雪具。
【請求項５】
前記照明取付部は、前記柄杆に固定する柄側付設部と、前記携帯用照明具を着脱自在に取付する照明装着部とから成り、この柄側付設部と照明装着部とを前記角度調整機構を介して連結して、柄側付設部に対して照明装着部を角度調整し得るように構成したことを特徴とする請求項１〜４のいずれか１項に記載の除雪具。
【発明の詳細な説明】
【技術分野】
【０００１】
本発明は、夜間においても除雪作業を行い易い手動の除雪具に関するものである。
【背景技術】
【０００２】
人の手による除雪作業には、大型のバケットを備えたダンプや、スコップなどの除雪具が用いられる（例えば、特許文献１参照。）。
【０００３】
【特許文献１】実用新案登録第３０７０２１７号公報
【発明の開示】
【発明が解決しようとする課題】
【０００４】
例えば、共働きの家庭のように、日中に除雪作業が行えない事情の人も多く、このような事情の人々は、夜間に除雪作業を行っている。
【０００５】
しかし、暗い夜間は視界が悪いためになかなか作業が捗らない。
【０００６】
本発明は、このような現状に鑑み、夜間でも除雪作業を容易に行える照明を備えた手動の除雪具を提供するものである。
【課題を解決するための手段】
【０００７】
添付図面を参照して本発明の要旨を説明する。
【０００８】
雪載せ部１の後端部から柄杆２を突設した除雪具において、前記柄杆２に、懐中電灯３Ａなどの携帯用照明具３を着脱自在に取付する照明取付部４を設けると共に、この照明取付部４は、取付した携帯用照明具３を前記柄杆２に対して角度調整し得る角度調整機構５を備えたことを特徴とする除雪具に係るものである。
【０００９】
また、前記照明取付部４は、前記柄杆２に対して着脱自在に付設したことを特徴とする請求項１記載の除雪具に係るものである。
【００１０】
また、前記照明取付部４は、前記柄杆２に対して被嵌状態に付設したことを特徴とする請求項１，２のいずれか１項に記載の除雪具に係るものである。
【００１１】
また、前記照明取付部４は、前記携帯用照明具３を締付体42により締め付けして取付する構成としたことを特徴とする請求項１〜３のいずれか１項に記載の除雪具に係るものである。
【００１２】
また、前記照明取付部４は、前記柄杆２に固定する柄側付設部４Ａと、前記携帯用照明具３を着脱自在に取付する照明装着部４Ｂとから成り、この柄側付設部４Ａと照明装着部４Ｂとを前記角度調整機構５を介して連結して、柄側付設部４Ａに対して照明装着部４Ｂを角度調整し得るように構成したことを特徴とする請求項１〜４のいずれか１項に記載の除雪具に係るものである。
【発明の効果】
【００１３】
本発明は上述のように構成したから、照明取付部を介して柄杆に携帯用照明具を取付できると共に、この取付した携帯用照明具を柄杆に対して自由に角度調整できるので、この携帯用照明具で所望の除雪場所を照らすことができ、これにより夜間でも除雪作業場所の視界を良好に確保できて除雪作業を効率良く行うことができるし、照明部の発光が作業者に近づく車両の運転者に視認されることで事故防止にも役立つ実用的な手動運搬除雪具となり、また、握持操作する柄杆に照明取付部を設けたことで、柄杆を握持している手で照明取付部に取付した携帯用照明具を容易にオン・オフ操作できる構成とすることも容易に設計可能である上、収納時などの携帯用照明具が邪魔になる場合や、携帯用照明具を他の用途に使用したい場合には、携帯用照明具を照明取付部から取り外すこともでき、しかも、懐中電灯などの携帯用照明具を照明取付部に取付する構成であるので、特別な照明具を新造する必要がなく、容易に設計実現可能であると共に、ユーザーが所有している懐中電灯などを流用することも可能であるので、携帯用照明具を省いたコスト安な製品として提供することも可能であるなど、極めて実用性に秀れた画期的な除雪具となる。
【００１４】
また、請求項２記載の発明においては、ユーザーが柄杆に対して自由に照明取付部の位置を変更できるので、万人向けで商品価値が高く、しかも、柄杆から照明取付部ごと携帯用照明具を取り外せて完全に既成の除雪具形態とすることができるので、既成の製品と同等の収納性や操作性を得ることが可能であるなど、一層実用性に秀れた構成の除雪具となる。
【００１５】
また、請求項３記載の発明においては、柄杆に対して着脱自在な照明取付部の構成を簡易に設計実現可能となると共に、この照明取付部の着脱操作も容易に行われる一層実用性に秀れた構成の除雪具となる。
【００１６】
また、請求項４記載の発明においては、携帯用照明具の照明取付部への着脱自在な取付構造を簡易に設計実現可能となると共に、この携帯用照明具の着脱操作も容易に行われる一層実用性に秀れた構成の除雪具となる。
【００１７】
また、請求項５記載の発明においては、取付した携帯用照明具を角度調整可能な照明取付部を簡易に設計実現可能となる一層実用性に秀れた構成の除雪具となる。
【発明を実施するための最良の形態】
【００１８】
好適と考える本発明の実施形態（発明をどのように実施するか）を、図面に基づいて本発明の作用を示して簡単に説明する。
【００１９】
本発明の除雪具は、雪載せ部１の後端部から突設した柄杆２に設けた照明取付部４に、懐中電灯３Ａなどの携帯用照明具３を着脱自在に取付することができ、この照明取付部４に取付した携帯用照明具３を発光させて除雪作業場所を照らすことができる。
【００２０】
また、この照明取付部４に取付した携帯用照明具３は、角度調整機構５により柄杆２に対して角度調整することができるので、所望の場所を照らすことが容易に可能である。
【００２１】
そのため、夜間の除雪作業においても、携帯用照明具３の発光によって視界を良好に確保でき、視界の悪い暗闇で除雪作業を行う場合と比べて目標の雪を効率良く除去できることとなるので、除雪作業が捗る。
【００２２】
また、夜間の除雪作業中、照明部４の光源の発光が作業者に近づく車両の運転者に視認されることで事故防止にも役立つ。
【００２３】
また、照明取付部４は、できるだけ柄杆２の握持操作の邪魔にならない位置に設けることが望ましいが、握持操作する柄杆２に照明取付部４を設けたことで、柄杆２を握持している手で照明取付部４に取付した携帯用照明具３を容易にオン・オフ操作できるように設計することも容易に可能である。
【００２４】
また、懐中電灯３Ａなどの携帯用照明具３を照明取付部４に取付する構成であるので、特別な照明具を新造する必要がなく、容易に設計実現可能であると共に、ユーザーが所有している懐中電灯３Ａなどを流用することも可能であるので、携帯用照明具３を省いたコスト安な製品として提供することもできる。
【００２５】
また、収納時に照明取付部４に取付した携帯用照明具３が邪魔になる場合や、携帯用照明具３を他の用途に使用したい場合には、携帯用照明具３を照明取付部４から取り外すことができる。この際、照明取付部４は、携帯用照明具３を締付体42により締め付けして取付する構成とすれば、携帯用照明具３の着脱自在な取付構造を簡易に設計実現可能となると共に、この携帯用照明具３の着脱操作も容易に行われるので、実用的である。
【００２６】
また、携帯用照明具３で照らしたい位置や、照明取付部４が握持操作の邪魔にならない位置などはユーザーによって好みが異なるが、例えば、前記照明取付部４は、前記柄杆２に対して着脱自在に付設する構成とすれば、ユーザーが柄杆２に対して自由に照明取付部４の位置を変更できるので、万人向けとなり、非常に実用的となる。また、柄杆２から照明取付部４ごと携帯用照明具３を取り外せて完全に既成の除雪具形態にできるので、照明取付部４を取り外して既成の製品と同等の収納性や、照明が不要な日中の除雪作業に際しての既成の製品と同等の操作性を得ることが可能となる。この際、例えば、照明取付部４は、柄杆２に対して着脱自在に被嵌して締付固定し得る構成とすれば、柄杆２に対して着脱自在な照明取付部４の構成を簡易に設計実現可能となると共に、この照明取付部４の着脱操作も容易に行われるので、実用的である。
【実施例１】
【００２７】
本発明の具体的な実施例１について図１〜図６に基づいて説明する。
【００２８】
本実施例は、図１に示すような、大型の雪載せ部１（バケット）の左右両端部に、パイプ材を平面視コ字状に屈曲形成して成る柄杆２の左右の縦杆部20の遊離先端側部を付設して、このバケット体１の後端部に、柄杆２を平面視コ字状に突設すると共に、側面視で柄杆２をバケット体１の後端部から斜め上方へ向けて突設した構成の手動運搬除雪具（ダンプ）に適用した場合を示している。尚、請求項１中の「柄杆」なる記載は、無垢の杆材で構成されたものだけを意味するのではなく、本実施例のようにパイプ材で構成したものも含む意味合いで用いている。
【００２９】
また、図面では、少なくとも前記柄杆２の横杆部21の径寸法を、柄杆２の他の部位の径よりも径大に形成して径大握持杆部22に構成している。この径大握持杆部22は、径小な握持部に比して握り易く力を加え易い（力を入れて握ることができる）ので、力強く本手動運搬除雪具を操作できることになる。
【００３０】
具体的には、本実施例の径大握持杆部22は、図１に示すように横杆部21の全域から左右の縦杆部20の基部に至るまで設けて、作業者が好みの位置を握持操作できるように構成している。更に詳しくは、横杆部21の全域から左右の縦杆部20の基部に至るまでの柄杆２部位にパイプ状の被嵌体22Ａを被嵌固定することで、柄杆２より径大となる径大握持杆部22を形成している。この被嵌体22Ａは、例えば、ゴム製や木製や樹脂製のように、ある程度硬度があって簡単に凹み変形しない素材を採用すると、握持し易く好ましい。また、滑り止め作用を有する素材で構成したり、表面に滑り止め加工を施しても良い。
【００３１】
本実施例は、前記柄杆２に、携帯用照明具３を着脱自在に取付する照明取付部４を設けると共に、この照明取付部４は、取付した携帯用照明具３を前記柄杆２に対して角度調整し得る角度調整機構５を備えている。
【００３２】
また、本実施例の携帯用照明具３は、既成の懐中電灯３Ａを採用している。図中符号30はオン・オフスイッチである。
【００３３】
具体的には、本実施例の照明取付部４は、前記柄杆２に固定する柄側付設部４Ａと、前記携帯用照明具３を着脱自在に取付する照明装着部４Ｂとから成り、この柄側付設部４Ａと照明装着部４Ｂとを前記角度調整機構５を介して連結して、柄側付設部４Ａに対して照明装着部４Ｂを角度調整し得るように構成している。
【００３４】
柄側付設部４Ａは、柄杆２に被嵌する断面略Ｃ状の被嵌体40で構成している。
【００３５】
また、この略Ｃ状の被嵌体40は、図２に示すようにその開放部に臨設する両端部40Ａを外方へ向けて互いに平行となるように突設すると共に、この両端部40Ａの夫々に貫通孔40Ｂを形成した構成とし、図４に示すようにこの被嵌体40を前記柄杆２に被嵌（柄杆２を被嵌体40に圧入）した上で、前記各貫通孔40Ｂに締付具６としてのネジ６Ａを挿通させ、一側の貫通孔40Ｂより突出するネジ６Ａ先端にナット６Ｂを螺着して締め付けすることにより、被嵌体40の径を狭めて取付桟３に締め付け固定する構成としている。
【００３６】
また、この締付具６（ネジ６Ａとナット６Ｂ）の締め付けを緩めて被嵌体40の径を広くすることで、この被嵌体40を柄杆２を軸にして回動調整することも、この被嵌体40を介して照明取付部５を柄杆２の長さ方向に沿ってスライド移動させることもできるし、締付具６を取り去ることで、被嵌体40を柄杆２から取り外すことができる構成としている。
【００３７】
照明装着部４Ｂは、図２，図５に示すように、前記懐中電灯３Ａの柄部31を抱持状態に支持可能な略ハーフパイプ形の支持体41に、この支持体41の左右端部間に掛け渡すようにして締付体42としての止めバンド42を取付した構成としている。
【００３８】
また、この止めバンド42の一端は、支持体41の左右いずれか一側の端部に固定状態とし、他端は、支持体41の他側の端部に着脱自在とすると共にこの止めバンド42他端の取付位置を変更可能な構成として、この止めバンド42他端の取付位置変更により、採用する（取付する）懐中電灯３Ａの柄部31の径寸法に応じて止めバンド42の締付状態を調整し得るように構成している。
【００３９】
この止めバンド42の締付状態の調整構造について更に詳しく説明すると、止めバンド42の他端に、その長さ方向に間隔を置いて取付穴42Ａを複数（図面では二箇所）貫通形成する一方、この取付穴42Ａの穴径よりもやや径大な先端を有する取付ピン41Ａを支持体41の他側端部付近の外側面に突設した構成として、この取付穴42Ａに取付ピン41Ａを着脱自在に圧入する構造としている。
【００４０】
即ち、この取付穴42Ａと取付ピン41Ａとの着脱には抵抗があって簡単に着脱することができず、この抵抗に抗して取付穴42Ａと取付ピン41Ａとを着脱操作できる構成であって、除雪作業時においても懐中電灯３Ａの装着状態が簡単に解除されることなく、良好に装着状態が維持されることになる構成としている。尚、図面では、符号は省略しているが止めバンド42の一端の固定構造も、他端の取付構造と同様の構成としている。
【００４１】
また、図２に示すように、前記柄側付設部４Ａを構成する被嵌体40の周面に軸支孔40Ｃを形成すると共に、この軸支孔40Ｃの周囲の外側面に凹凸部40Ｄを一体成形し、一方、前記照明装着部４Ｂを構成する支持体41の周面に軸受孔41Ｂを形成すると共に、この軸受孔41Ｂの周囲の外側面の所定個所に係合突起41Ｃを一体成形し、この軸支孔40Ｃと軸受孔41Ｂとを突き合わせ当接させて連通させた上、図５に示すように、この連通させた軸支孔40Ｃと軸受孔41Ｂとに軸ピン５Ａを抜け止め状態に挿通することで柄側付設部４Ａと照明装着部４Ｂとを軸ピン５Ａを介して回動自在（角度調整可能）に連結し、且つ軸支孔40Ｃと軸受孔41Ｂとを突き合わせ当接させたことで、前記係合突起41Ｃが前記凹凸部40Ｄの凹所に嵌合して位置決めされ、この位置決め状態に抗して柄側付設部４Ａに対し照明装着部４Ｂを回動操作すると、係合突起41Ｃが前記凹凸部40Ｄの凸所を乗り越えて他の凹所に嵌合して位置決めされる構成としている。
【００４２】
即ち、柄側付設部４Ａに対する照明装着部４Ｂを所望角度に調整して位置決めできる前記角度調整機構５を構成している（図３参照。）。また、この角度調整機構５は、その回動軸方向を、前記被嵌体40を介して照明取付部４を柄杆２を軸にして回動調整できる回動軸方向と直交する方向に設けている。
【００４３】
このように構成した本実施例によれば、照明取付部４を、その柄側付設部４Ａを介して柄杆２の自由な位置に付設することができるし、柄杆２を軸にして携帯用照明具３の向きを横方向や縦方向に首振り調整することができるので、携帯用照明具３で照らしたい位置や、照明取付部４が握持操作の邪魔にならない位置や、除雪時に握持操作する前記柄杆２の横杆部21を握持した手で、携帯用照明具３のオン・オフスイッチ30の操作を行い易い位置など、好みに応じて照明取付部４を付け替えできる。
【００４４】
また、携帯用照明具３は、前記したように柄側付設部４Ａを介して首振り調整できると共に、角度調整機構５によりこの首振り方向と直交する方向に角度調整変更することもできるので、携帯用照明具３の位置を自由に付け替えできることと相まって、携帯用照明具３で照らしたい場所を照らすことが容易に行われる。
【００４５】
また、図１では、前記雪載せ部１の後端部から突設状態に配設される柄杆２の、前記左右の縦杆部20の双方に照明取付部４を付設した場合を示している。即ち、左右の縦杆部20の双方に照明取付部４を介して二体の携帯用照明具３を取付した場合を示している。
【００４６】
この図１のように、携帯用照明具３を二体取付すると、二体の携帯用照明具３で広範囲を明るく照らすことができる。
【００４７】
また、図６では、図１において、横杆部21の中央部に前記被嵌体22Ａのない個所を形成し、この被嵌体22Ａが被嵌されていない横杆部21の中央部に前記照明取付部４を付設して、この照明取付部４を介して一体の携帯用照明具３を取付した場合を示している。
【００４８】
この図６のように、横杆部21の中央部に携帯用照明具３を配置した場合、たとえ一体の携帯用照明具３であっても高い位置からバケット体１先端側の除雪作業場所の広い範囲をまんべんなく照らすことができる。
【００４９】
また、照明取付部４を、除雪作業に際して握持操作する柄杆２の横杆部21の左右位置を避けた中央位置に付設配置したため、通常この種の手動運搬除雪具は、横杆部21の左右部を握持して操作するが、この照明取付部４が柄杆２の横杆部21の左右部（径大握持杆部22）の握持操作の邪魔にならず、既存の製品と同等の秀れた操作性を発揮することになる。
【００５０】
また、この種手動運搬除雪具は、横杆部21を適宜な壁面などに当接させて立て掛けて収納されることが多いが、照明取付部４を取り外すことで、既存の製品と同等の収納性を発揮する。
【実施例２】
【００５１】
本発明の具体的な実施例２について図７〜図１０に基づいて説明する。
【００５２】
本実施例は、前記実施例１と同様の手動運搬除雪具において、図７に示すように、柄杆２の横杆部21の中央部に前記被嵌体22Ａのない個所を形成し、この被嵌体22Ａが被嵌されていない横杆部21の中央部に前記照明取付部４を固定状態に設けて、この照明取付部４を介して横杆部21の中央部に一体の携帯用照明具３を取付した場合である。
【００５３】
また、本実施例の照明取付部４は、前記実施例１に対して柄側付設部４Ａと角度調整機構５の構造が異なる。
【００５４】
具体的には、本実施例の柄側付設部４Ａは、図８に示すように、前記横杆部21に方形状の固定板43を一体的に溶接して、この固定板43が横杆部21に対して前方へ下降傾斜する斜設状態となるようにして固定した構成としている。
【００５５】
また、図８，図１０に示すように、この固定板43の上面前端側にコ字板状の軸受部50を突設する一方、前記実施例１と同様の構成の照明装着部４Ｂの支持体41（但し、前記軸受孔41Ｂと前記係合突起41Ｃは除いた構成である。）の、その凸湾曲面を下面とした際の下面中心部に、前記コ字板状の軸受部50間に配設する平板状の軸着部51を突設し、この軸受部50と軸着部51とに夫々軸孔52を貫通形成すると共に、この各軸孔52に軸ネジ53を挿通して挿通先端にナット54を螺着することで柄側付設部４Ａと照明装着部４Ｂとを連結し、これにより図９に示すようにこの軸ネジ53を軸にして柄側付設部４Ａに対し照明装着部４Ｂが起伏回動（角度調整）可能となり、且つ軸ネジ53とナット54とを締付することで、付設部５Ａに対する照明装着部４Ｂを所望角度に位置決めできる前記角度調整機構５を構成している。
【００５６】
このように構成した本実施例によれば、携帯用照明具３を角度調整機構５により起伏角度調整して照明の角度を変更することができるので、携帯用照明具３で照らしたい場所を照らすことが容易に行われる。
【００５７】
また、横杆部21の中央部に携帯用照明具３を配置したため、たとえ一体の携帯用照明具３であっても高い位置からバケット体１先端側の除雪作業場所の広い範囲をまんべんなく照らすことができる。
【００５８】
また、照明取付部４を、除雪作業に際して握持操作する柄杆２の横杆部21の左右位置を避けた中央位置に付設配置したため、通常この種の手動運搬除雪具は、横杆部21の左右部を握持して操作するが、この照明取付部４が柄杆２の横杆部21の左右部（径大握持杆部22）の握持操作の邪魔にならず、既存の製品と同等の秀れた操作性を発揮することになる。
【００５９】
他の構成は、前記実施例１と同様である。
【実施例３】
【００６０】
本発明の具体的な実施例３について図１１〜図１４に基づいて説明する。
【００６１】
本実施例は、図１１に示すような、小型の雪載せ部１の後端部から一本の棒状の柄杆２を突設し、この柄杆２の後端部にハンドル部３を付設した構成のスコップ（除雪具）に適用した場合であり、このスコップの柄杆２に携帯用照明具３を着脱自在に取付する照明取付部４を付設している。
【００６２】
本実施例の照明取付部４は、前記柄杆２に付設する柄側付設部４Ａと、前記携帯用照明具３を着脱自在に取付する照明装着部４Ｂとから成り、この柄側付設部４Ａと照明装着部４Ｂとを前記角度調整機構５を介して連結して、柄側付設部４Ａに対して照明装着部４Ｂを角度調整し得るように構成している。
【００６３】
具体的には、柄側付設部４Ａは、図１２〜図１４に示すように、前記実施例１の柄側付設部４Ａと同様の構成を採用（但し、前記軸支孔40Ｃと前記凹凸部40Ｄは除いた構成である。）しており、図面に同符号を付すことで詳しく説明することは省略する。
【００６４】
また、照明装着部４Ｂは、図１２〜図１４に示すように、前記実施例２の照明装着部４Ｂと同様の構成を採用しており、こちらも図面に同符号を付すことで詳しく説明することは省略する。
【００６５】
また、本実施例では、柄側付設部４Ａを構成する被嵌体40の前記両端部40Ａの反対側の周面に、二枚の平板が間隔を置いて立設状態に対設する構成の軸受部50を突設している。この軸受部50は、前記実施例２で同符号を付した軸受部50と同等の機能を有するもので、図１２〜図１４に示すように、この軸受部50に前記実施例２と同様の角度調整機構５を介して照明装着部４Ｂを連結している。
【００６６】
また、図１１では、柄杆２の後端部に照明取付部４を付設して、雪載せ部１の先端側を携帯用照明具３が照らせるようにした場合を示しており、このように付設することで、この種スコップは、一般的に前記ハンドル部７と柄杆２の中ほどを握持して操作するが、照明取付部４や携帯用照明具３がこの握持操作の邪魔にならず、操作性を損なわない。
【００６７】
また、携帯用照明具３を角度調整機構５により起伏角度調整して照明の角度を変更することができるので、携帯用照明具３で照らしたい場所を照らすことが容易に行われる。
【００６８】
また、携帯用照明具３が邪魔な場合や、不要な場合には、照明取付部４ごと柄杆２から取り外して既存の製品と同等のものとすることができる。
【実施例４】
【００６９】
本発明の具体的な実施例４について図１５に基づいて説明する。
【００７０】
本実施例は、除雪具としてラッセルを採用した場合を示しており、他の構成は前記実施例３と同様である。
【００７１】
尚、本発明は、実施例１〜４に限られるものではなく、各構成要件の具体的構成は適宜設計し得るものである。
【図面の簡単な説明】
【００７２】
【図１】実施例１の左右の縦杆部に携帯用照明具を二体取付した状態を示す斜視図である。
【図２】実施例１の照明取付部を示す拡大分解斜視図である。
【図３】実施例１の照明取付部により、携帯用照明具を柄杆に取付した状態を示す部分拡大側面図である。
【図４】実施例１の照明取付部により、携帯用照明具を柄杆に取付した状態を示す、被嵌体と締付体とを一部切り欠いた説明拡大平断面図である。
【図５】実施例１の照明取付部により、携帯用照明具を柄杆に取付した状態を示す説明拡大正断面図である。
【図６】実施例１の横杆部に携帯用照明具を一体取付した状態を示す斜視図である。
【図７】実施例２を示す斜視図である。
【図８】実施例２の照明取付部を示す拡大分解斜視図である。
【図９】実施例２の照明取付部により、携帯用照明具を柄杆に取付した状態を示す一部を切り欠いた部分拡大説明側面図である。
【図１０】実施例２の照明取付部により、携帯用照明具を柄杆に取付した状態を示す一部を切り欠いた部分拡大説明正面図である。
【図１１】実施例３を示す斜視図である。
【図１２】実施例３の照明取付部を示す拡大分解斜視図である。
【図１３】実施例３の照明取付部により、携帯用照明具を柄杆に取付した状態を示す一部を切り欠いた部分拡大説明側面図である。
【図１４】実施例３の照明取付部により、携帯用照明具を柄杆に取付した状態を示す一部を切り欠いた部分拡大説明正面図である。
【図１５】実施例４を示す斜視図である。
【符号の説明】
【００７３】
１  雪載せ部
２  柄杆
３  携帯用照明具
３Ａ  懐中電灯
４  照明取付部
４Ａ  柄側付設部
４Ｂ  照明装着部
５  角度調整機構
42  締付体
【図１】
2008163688.tif 000003
【図２】
2008163688.tif 000004
【図３】
2008163688.tif 000005
【図４】
2008163688.tif 000006
【図５】
2008163688.tif 000007
【図６】
2008163688.tif 000008
【図７】
2008163688.tif 000009
【図８】
2008163688.tif 000010
【図９】
2008163688.tif 000011
【図１０】
2008163688.tif 000012
【図１１】
2008163688.tif 000013
【図１２】
2008163688.tif 000014
【図１３】
2008163688.tif 000015
【図１４】
2008163688.tif 000016
【図１５】
2008163688.tif 000017